(57)【要約】【課題】部品点数が増えるだけでなく、規制方向がピンチローラーユニットをキャプスタン軸に圧着する際の動作方向に反する方向なのでカムギアの回転に余分な負荷が上乗せされ、装置の消費電力が増加するという問題点を有していた。【解決手段】キックアーム８０の動きを規制するアーム戻しバネが無くとも前記キックアーム８０の動きがピンチローラーユニット６６の圧着バネで規制され、部品点数が削減されるばかりでなく、カムギア７７の回転負荷の軽減にもなり、装置の低消費電力に貢献するという優れた効果が得られる。【選択図】  図１
2004288237.tif 000002
【特許請求の範囲】
【請求項１】
シャーシ手段に装着され、複数の位置を検出するための位置検出手段を具備し、モーターによって回転駆動される駆動手段と、
磁気テープを内蔵したカセットが着脱可能な第１の位置と、前記カセットがテープ走行可能な第２の位置との間を、前記駆動手段によって移動するように、前記シャーシ手段に支持されたカセット支持手段と、
ピンチローラーを具備し、回動軸に軸承されて、前記カセット支持手段によってキャプスタン軸の直前まで回動され、キャプスタン軸との間に磁気テープを挟んで圧着バネ手段により圧着され、前記磁気テープをキャプスタンの回転によって移送するピンチローラー手段と、
シャーシ手段に移動可能に設けられ、前記駆動手段の回転によってピンチローラー手段をキャプスタン軸に圧着せしめるピンチローラー圧着手段とを具備し、
前記カセット支持手段が第１の位置から第２の位置へと移動する間、前記ピンチローラー圧着手段の動きを、前記ピンチローラー手段に設けられた規制手段で規制するようにしたことを特徴とする磁気記録再生装置。
【請求項２】
ピンチローラー手段に設けられた圧着バネ手段と規制手段は、コイルバネで一体的に形成されてなることを特徴とする請求項１記載の磁気記録再生装置。
【請求項３】
ピンチローラー圧着手段はシャーシ手段に回動自在に軸承されたことを特徴とする請求項１記載の磁気記録再生装置。
【発明の詳細な説明】
【０００１】
【発明の属する技術分野】
本発明は、簡単な構成で、確実な動作が得られる、低消費電力の磁気記録再生装置に関するものである。
【０００２】
【従来の技術】
近年、磁気記録再生装置は、軽量化、低コスト化、低消費電力化が望まれている。
【０００３】
以下に従来の磁気記録再生装置について説明する。
【０００４】
従来、磁気記録再生装置は特開平１１−２７３１８４号公報に記載されたものが知られている。
【０００５】
従来の磁気記録再生装置を図７に示す。図７は従来の磁気記録再生装置のメカニズム部の構成を示すものである。
【０００６】
このメカニズムは一般的にシュリンクメカニズムと呼ばれ、サブシャーシと呼ばれる移動式のシャーシが、メインシャーシ上を摺動し、磁気テープカセットの着脱時には大きく飛び出し、テープローディング後の動作時にはほとんどメインシャーシと重なって小さくなる構造である。
【０００７】
前記メインシャーシにはテープガイドドラム、キャプスタンモータ、ピンチローラー等の主要部品が、また、サブシャーシにはリール台、カセットホルダー、テープ引き出しポスト等の部品が備えられている。
【０００８】
図７では、主要な部品以外は省略しているが、構成および動作を説明する。
【０００９】
１０はメインシャーシであり、テープガイドドラム１２、キャプスタンモータ１４、ピンチローラーユニット１６等、テープ走行に必要な部品が載置されている。
【００１０】
１８はサブシャーシであり、２つのリール台２０ａ、２０ｂ、カセットホルダー（図示せず）等を具備し、磁気テープカセット（図示せず）を装着する構造になっている。
【００１１】
メインシャーシ１０とサブシャーシ１８は摺動ガイド部２２ａ、２２ｂで支持され、矢印Ａ，Ｂ方向に移動可能である。
【００１２】
前記メインシャーシ１０にはカムギア２４が載置され、駆動モータ（図示せず）によってカムギア軸２５を中心に矢印Ｃ，Ｄ方向に回転する。
【００１３】
前記カムギア２４の上端面にはカムピン２６が設けられており、前記サブシャーシ１８に設けられたカム部２８と係合している。
【００１４】
これによって前記サブシャーシ１８は、カムギア２４の回転に対応して矢印ＡまたはＢ方向へ移動する。
【００１５】
カムギア２４の内部には回転角度を検出する接点が設けられており、前記カムギア２４のカムピン２６がどの位置にあるかが分かるようになっている。
【００１６】
図７は矢印Ｂ方向に移動しきった状態を示す。
【００１７】
前記カムギア２４とサブシャーシ１８の間にはキックアーム３０が、メインシャーシ１０に設けられたアーム軸３２に回動自在に軸承されており、前記キックアーム３０のカム溝３４がカムピン２６と係合している。
【００１８】
キックアーム３０はカムピン２６の動きに連動して、カム溝３４の形状で決まるタイミングでアーム軸３２の周りを回動する。
【００１９】
３５はアーム戻しバネであり、キックアーム３０が不用意に回動しないよう矢印Ｆ方向に回動トルクを与え、前記キックアーム３０はメインシャーシ１０に設けられたストッパピン３６に当接した状態を維持している。
【００２０】
次に動作を、図７〜図１１を用いて説明する。
【００２１】
図７の状態からカムギア２４が矢印Ｃ方向に回転すると、図８に示すようにカムピン２６によってサブシャーシ１８は矢印Ａ方向へ移動する。
【００２２】
この時、メインシャーシ１０のピンチローラー回動軸３８に軸承されたピンチローラーユニット１６は、ピンチローラーアーム４０の曲げ部４２が、サブシャーシ１８の曲げ部４４に押され、矢印Ｈ方向に回動トルクを与える戻しバネ４６に抗して矢印Ｊ方向に回動する。
【００２３】
前記ピンチローラーユニット１６はピンチローラーアーム４０にピンチローラー４８が軸承されており、ピンチローラーアーム４０はねじりコイルバネによる圧着バネ５０を撓ませた状態で支持し、ピンチローラー回動軸３８に軸承される。前記圧着バネ５０の端部５１は直角に曲げられ、キックアーム３０のキック部５４と係合する。
【００２４】
さらにカムギア２４が矢印Ｃ方向に回転し、図８の位置を経て、図９に示す位置まで回転すると、サブシャーシ１８は矢印Ａ方向への移動を終了し、以降の回転ではカム部２８の形状により動かない構造になっている。
【００２５】
この状態では、ピンチローラーユニット１６はピンチローラー４８がキャプスタン軸５２との間にわずかな間隙を残した位置で待機する、ストップ位置である。
【００２６】
前記図９に示すストップ位置からさらにカムギア２４が矢印Ｃ方向に回転すると、サブシャーシ１８は動かないが、キックアーム３０がカム溝３４の形状によって矢印Ｅ方向に回動する。
【００２７】
この動作で前記キックアーム３０のキック部５４は、圧着バネ５０の端部５１と係合してピンチローラーユニット１６を矢印Ｊ方向に回動し、ピンチローラー４８がキャプスタン軸５２に当接した後もさらに回動し、前記圧着バネ５０を撓ませてピンチローラー４８に圧着力を発生させ、図１０に示すプレイモード状態となる。
【００２８】
これによって前記ピンチローラー４８とキャプスタン軸５２との間に挟まれた磁気テープ（図示せず）はキャプスタンモータ１４の回転によって移送される。
【００２９】
前記キックアーム３０のカム溝３４はカムピン２６の外径に対してほぼ同等幅の確動カムであるが、Ｇで示す範囲は溝幅を広く取って逃がしてある。
【００３０】
この理由は、図７、図９、図１０に示すようにカムピン２６がＧに示す範囲外にある時は前記カムピン２６とカム溝３４との圧力角は前記カムピン２６がカム溝３４内を移動するのに支障のない角度であるが、Ｇに示す範囲では圧力角が極めて高く、特に図８に示す、アーム軸３２、カムピン２６、アーム軸３２が一列に並んだ位置では圧力角が９０°となり、カムピン２６がカム溝３４に食い込んで動かなくなるのを防ぐためである。
【００３１】
ところが、キックアーム３０をアーム軸３２に対して自由にしておくと、図１１に示すように矢印Ｅ方向に回動したとき、カムピン２６とカム溝３４の圧力角はＫで示す角度となり、特にカムギア２４が矢印Ｄ方向に回転する時、自動食い込み状態となりロックしてしまう。
【００３２】
従ってアーム戻しバネ３５を設けて、前記キックアーム３０を常に一点鎖線で示す矢印Ｆ方向に規制し、自動食い込みによるロックを防いでいる。
【００３３】
【特許文献１】
特開平１１−２７３１８４号公報
【００３４】
【発明が解決しようとする課題】
しかしながら上記の従来の構成では、アーム戻しバネ３５を用いてキックアーム３０を常に規制しているため、部品点数が増えるだけでなく、規制方向がピンチローラーユニット１６をキャプスタン軸５２に圧着する際の動作方向に反する方向なのでカムギア２４の回転に余分な負荷が上乗せされ、装置の消費電力が増加するという問題点を有していた。
【００３５】
本発明は上記従来の問題点を解決するもので、少ない部品点数で、低消費電力の磁気記録再生装置を提供することを目的とする。
【００３６】
【課題を解決するための手段】
この目的を達成するために本発明の磁気記録再生装置は、ピンチローラー圧着手段の自由状態での動きを、ピンチローラー手段に設けられた規制手段で規制する構成を有している。
【００３７】
この構成によって、特別な部品を用いなくとも前記ピンチローラー圧着手段の動きを規制することが出来る。
【００３８】
【発明の実施の形態】
本発明の請求項１に記載の発明は、シャーシ手段に装着され、複数の位置を検出するための位置検出手段を具備し、モーターによって回転駆動される駆動手段と、磁気テープを内蔵したカセットが着脱可能な第１の位置と、前記カセットがテープ走行可能な第２の位置との間を、前記駆動手段によって移動するように、前記シャーシ手段に支持されたカセット支持手段と、ピンチローラーを具備し、回動軸に軸承されて、前記カセット支持手段によってキャプスタン軸の直前まで回動され、キャプスタン軸との間に磁気テープを挟んで圧着バネ手段により圧着され、前記磁気テープをキャプスタンの回転によって移送するピンチローラー手段と、シャーシ手段に移動可能に設けられ、前記駆動手段の回転によってピンチローラー手段をキャプスタン軸に圧着せしめるピンチローラー圧着手段とを具備し、前記カセット支持手段が第１の位置から第２の位置へと移動する間、前記ピンチローラー圧着手段の動きを、前記ピンチローラー手段に設けられた規制手段で規制するようにしたものであり、ピンチローラー圧着手段の動きを規制できるという作用を有する。
【００３９】
請求項２に記載の発明は、ピンチローラー手段に設けられた圧着バネ手段と規制手段は、コイルバネで一体的に形成されるようにしたものであり、特別な部品を用いる必要がなくなるという作用を有する。
【００４０】
請求項３に記載の発明は、ピンチローラー圧着手段はシャーシ手段に回動自在に軸承されるようにしたものであり、低負荷で動作するという作用を有する。
【００４１】
以下、本発明の実施の形態について、図１から図６を用いて説明する。
【００４２】
（実施の形態１）
図１、図２は本発明による磁気記録再生装置のメカニズム部の構成を示すものである。
【００４３】
このメカニズムは従来例と同じく、シュリンクメカニズムであり、サブシャーシと呼ばれる移動式のシャーシが、メインシャーシ上を摺動し、磁気テープカセットの着脱時には大きく飛び出し、テープローディング後の動作時にはほとんどメインシャーシと重なって小さくなる構造である。
【００４４】
前記メインシャーシにはテープガイドドラム、キャプスタンモータ、ピンチローラー等の主要部品が、また、サブシャーシにはリール台、カセットホルダー、テープ引き出しポスト等の部品が備えられている。
【００４５】
図１、図２では、主要な部品以外は省略しているが、構成および動作を説明する。
【００４６】
６０はメインシャーシであり、テープガイドドラム６２、キャプスタンモータ６４、ピンチローラーユニット６６等、テープ走行に必要な部品が載置されている。
【００４７】
６８はサブシャーシであり、２つのリール台７０ａ、７０ｂ、カセットホルダー（図示せず）等を具備し、磁気テープカセット（図示せず）を装着する構造になっている。
【００４８】
メインシャーシ６０とサブシャーシ６８は摺動ガイド部７２ａ、７２ｂで支持され、矢印Ａ，Ｂ方向に移動可能である。
【００４９】
前記メインシャーシ６０にはカムギア７４が載置され、駆動モータ（図示せず）によってカムギア軸７５を中心に矢印Ｃ，Ｄ方向に回転する。
【００５０】
前記カムギア７４の上端面にはカムピン７６が設けられており、前記サブシャーシ６８に設けられたカム部７８と係合している。
【００５１】
これによって前記サブシャーシ６８は、カムギア７４の回転に対応して矢印ＡまたはＢ方向へ移動する。
【００５２】
カムギア７４の内部には回転角度を検出する接点が設けられており、前記カムギアのカムピン７６がどの位置にあるかが分かるようになっている。
【００５３】
図２は矢印Ｂ方向に移動しきった状態を示す。
【００５４】
前記カムギア７４とサブシャーシ６８の間にはキックアーム８０が、メインシャーシ６０に設けられたアーム軸８２に回動自在に軸承されており、前記キックアーム８０のカム溝８４がカムピン７６と係合している。
【００５５】
キックアーム８０はカムピン７６の動きに連動して、カム溝８４の形状で決まるタイミングでアーム軸８２の周りを矢印ＥまたはＦ方向に回動する。
【００５６】
８６はストッパピンであり、前記キックアーム８０の矢印Ｆ方向の回動を規制している。
【００５７】
ピンチローラーユニット６６は、ピンチローラーアーム９０にピンチローラー９８が軸承されており、ピンチローラーアーム９０はねじりコイルバネによる圧着バネ１００を撓ませた状態で支持し、ピンチローラー回動軸８８に軸承される。前記圧着バネ１００の端部１０１は直角に曲げられ、キックアーム８０のキック部１０４と係合する位置関係になっている。
【００５８】
前記ピンチローラーアーム９０の曲げ部９２は、サブシャーシ６８の曲げ部９４と対向する位置関係に配置される。
【００５９】
次に動作を、図２〜図５を用いて説明する。
【００６０】
図２の状態からカムギア７４が矢印Ｃ方向に回転すると、図３に示すようにカムピン７６によってサブシャーシ６８は矢印Ａ方向へ移動する。
【００６１】
この時、メインシャーシ６０のピンチローラー回動軸８８に軸承されたピンチローラーユニット６６は、ピンチローラーアーム９０の曲げ部９２が、サブシャーシ６８の曲げ部９４に押され、矢印Ｈ方向に回動トルクを与える戻しバネ９６に抗して矢印Ｊ方向に回動する。
【００６２】
さらにカムギア７４が矢印Ｃ方向に回転し、図３の位置を経て、図４に示す位置まで回転すると、サブシャーシ６８は矢印Ａ方向への移動を終了し、以降の回転ではカム部７８の形状によって動かない構造になっている。
【００６３】
この状態では、ピンチローラーユニット６６はピンチローラー９８がキャプスタン軸１０２との間にわずかな間隙を残した位置で待機する、ストップ位置である。
【００６４】
前記図４に示すストップ位置から、さらにカムギア７４が矢印Ｃ方向に回転すると、サブシャーシ６８は動かないが、キックアーム８０がカム溝８４の形状によって矢印Ｅ方向に回動する。
【００６５】
この動作で前記キックアーム８０のキック部１０４は、圧着バネ１００の端部１０１と係合してピンチローラーユニット６６を矢印Ｊ方向に回動し、ピンチローラー９８がキャプスタン軸１０２に当接した後もさらに回動し、前記圧着バネ１００を撓ませてピンチローラー９８に圧着力を発生させ、図５に示すプレイモード状態となる。
【００６６】
これによって前記ピンチローラー９８とキャプスタン軸１０２との間に挟まれた磁気テープ（図示せず）はキャプスタンモータ６４の回転によって移送される。
【００６７】
前記キックアーム８０のカム溝８４はカムピン７６の外径に対してほぼ同等幅の確動カムであるが、Ｇで示す範囲は溝幅を広く取って逃がしてある。
【００６８】
この理由は、従来例と同様に、図２、図４、図５に示すようにカムピン７６がＧに示す範囲外にある時は前記カムピン７６とカム溝８４との圧力角は前記カムピン７６がカム溝８４内を移動するのに支障のない角度であるが、Ｇに示す範囲では圧力角が極めて高く、特に図３に示す、アーム軸８２、カムピン７６、アーム軸８２が一列に並んだ位置では圧力角が９０°となり、カムピン７６がカム溝８４に食い込んで動かなくなるのを防ぐためである。
【００６９】
前記キックアーム８０は、カムピン７６がＧに示すカム溝８４が確動カムでない範囲では、アーム軸８２の周りを矢印ＥまたはＦ方向に自由に動けるが、矢印Ｆ方向への動きはストッパピン８６で規制されている。
【００７０】
矢印Ｅ方向の動きは、図５に示すプレイモード状態まで回動可能な状態にしておく必要があるが、図３に示す状態で前記キックアーム８０が矢印Ｅ方向に回動しすぎるとカムピン７６とカム溝８４との圧力角が大きくなりすぎてセルフロック状態となる。
【００７１】
この矢印Ｅ方向の回動を規制するため、キックアーム８０は回動防止部１０６を有しており、前記回動防止部１０６に対向した範囲をピンチローラーユニット６６の圧着バネ１００の端部１０１が通過する間は、前記キックアーム８０の矢印Ｅ方向の回動が規制されて、図６に一点鎖線と実線示す範囲しか自由度がない。
【００７２】
このためカムピン７６とカム溝８４との圧力角は最大でも図６にＫで示す値となり、セルフロックには至らない。
【００７３】
この回動防止部１０６はカムピン７６がＧ区間を通過する際に前記ピンチローラーユニット６６の圧着バネ１００の端部１０１が移動する区間以上に設けられており、前記キックアーム８０の回動が自由になっている間は前記ストッパピン８６とピンチローラーユニット６６の圧着バネ１００の端部１０１によって回動が規制される。
【００７４】
【発明の効果】
以上のように本発明は、キックアームの動きを規制するアーム戻しバネが無くとも前記キックアームの動きがピンチローラーユニットの圧着バネで規制され、部品点数が削減されるばかりでなく、カムギアの回転負荷の軽減にもなり、装置の低消費電力に貢献するという優れた効果が得られる。
【図面の簡単な説明】
【図１】本発明の実施の形態における磁気記録再生装置の要部斜視図
【図２】同実施の形態における磁気記録再生装置の動作説明のための要部平面図
【図３】同実施の形態における磁気記録再生装置の動作説明のための要部平面図
【図４】同実施の形態における磁気記録再生装置の動作説明のための要部平面図
【図５】同実施の形態における磁気記録再生装置の動作説明のための要部平面図
【図６】同実施の形態における磁気記録再生装置の動作説明のための要部平面図
【図７】従来の磁気記録再生装置の動作説明のための要部平面図
【図８】従来の磁気記録再生装置の動作説明のための要部平面図
【図９】従来の磁気記録再生装置の動作説明のための要部平面図
【図１０】従来の磁気記録再生装置の動作説明のための要部平面図
【図１１】従来の磁気記録再生装置の動作説明のための要部平面図
【符号の説明】
６６  ピンチローラーユニット
７７  カムギア
８０  キックアーム
１００  圧着バネ
１０６  回動防止部
【図１】
2004288237.tif 000003
【図２】
2004288237.tif 000004
【図３】
2004288237.tif 000005
【図４】
2004288237.tif 000006
【図５】
2004288237.tif 000007
【図６】
2004288237.tif 000008
【図７】
2004288237.tif 000009
【図８】
2004288237.tif 000010
【図９】
2004288237.tif 000011
【図１０】
2004288237.tif 000012
【図１１】
2004288237.tif 000013